(57)【要約】      （修正有）【課題】履物を多数収容しつつ小型化を図ることができるとともに、履物を円滑かつ迅速に収容したり取り出すことができる下駄箱を提供する。【解決手段】前側開放空間Ｓ２に開口された箱型の本体２を有し、この本体２の内部空間Ｓ１を上下方向に複数段に仕切る複数の棚板１１を備えた下駄箱において、少なくとも1つの棚板１１を前後方向に移動自在に設け本体２の内部空間Ｓ１から前側開放空間Ｓ２へ引き出し可能かつ戻し可能とする。さらに、当該棚板１１の横方向両端部に支持板を配設し、当該支持板を介して当該棚板１１に載置された履物５０よりも上方に位置して一方端部２５から他方端部２６へ行くにしたがって低くなる補助棚板２１を設け、当該補助棚板２１の他方端部２６に履物を係止可能なストッパ２９を設けた構成とする。【選択図】図３
0003159722.tif 000002
【実用新案登録請求の範囲】
【請求項１】
前側の開放空間に開口された箱型の本体を有し、この本体の内部空間を上下方向に複数段に仕切るとともに履物を載置可能な複数の棚板を備えた下駄箱において、
少なくとも1つの前記棚板を前後方向に移動自在に設け前記本体の内部空間から前側開放空間へ引き出し可能かつ当該内部空間へ戻し可能とするとともに、当該棚板の横方向両端部に支持板を配設し、当該支持板を介して当該棚板に載置された履物よりも上方に位置して前側の一方端部から奥側の他方端部へ行くにしたがって低くなる補助棚板を設け、当該補助棚板の他方端部に履物を係止可能なストッパを設けた下駄箱。
【考案の詳細な説明】
【技術分野】
【０００１】
本考案は、複数の棚板を備えた下駄箱に関する。
【背景技術】
【０００２】
一般に、下駄箱は、箱型とされている。すなわち、図４に示すように、下駄箱６０は、地板６１と天板６２と両側の側面板６３と背板６４とで前面が開口された角箱状に形成されている。そして、地板６１と天板６２との間には、複数個の棚板６５が所定距離離して設けられ、各棚板６５上に履物（図示省略）を載置する構成とされている。なお、７５は傘収容部である（例えば、特許文献１参照）。
【特許文献１】実公平７−７７９８号公報
【考案の開示】
【考案が解決しようとする課題】
【０００３】
ところで、上記した下駄箱６０は狭い玄関に置かれるのが一般的である。そのため、下駄箱６０には、履物（皮靴や運動靴など）を多数収容できるとともに小型化が求められる。そのため、下駄箱６０の棚板６５の数を増やしたり、あるいは各棚板６５に革靴や運動靴などの履物を二段に積んで（上になる履物はひっくり返して）収容されることがある。
【０００４】
ここで、下駄箱６０の隣接する各棚６５の間隔は、履物の取出し・収容を円滑に行う関係上から下限値があり、棚板６５の数を増やすと下駄箱６０の全体が大型化してしまう。
【０００５】
また、下駄箱６０の各棚板６５に履物を二段に積んで（上になる履物はひっくり返して）収容した場合には、下段の履物を取り出すには上段の履物を一々持ち上げなければならず面倒であり、また上段の履物を取り出す際に当該履物の底に手や服の袖などが触れて汚れてしまうことがある。
【０００６】
本考案の目的は、履物を多数収容しつつ小型化を図ることができるとともに、履物を円滑かつ迅速に収容したり取り出すことができる下駄箱を提供することにある。
【課題を解決するための手段】
【０００７】
請求項１の考案は、前側の開放空間に開口された箱型の本体を有し、この本体の内部空間を上下方向に複数段に仕切るとともに履物を載置可能な複数の棚板を備えた下駄箱において、少なくとも1つの前記棚板を前後方向に移動自在に設け前記本体の内部空間から前側開放空間へ引き出し可能かつ当該内部空間へ戻し可能とするとともに、当該棚板の横方向両端部に支持板を配設し、当該支持板を介して当該棚板に載置された履物よりも上方に位置して前側の一方端部から奥側の他方端部へ行くにしたがって低くなる補助棚板を設け、当該補助棚板の他方端部に履物を係止可能なストッパを設けた構成である。
【０００８】
上記構成の考案の場合、補助棚板を設けた棚板は、従来の下駄箱の２枚分の棚板に相当する履物収容量を有するだけでなく、履物の取り出し・収容を迅速・容易に行える。すなわち、補助棚板付きの棚板に収容されている履物を取り出す場合には、当該補助棚板付きの棚板を前側開放空間に引き出す。この際、履物を素早く取り出そうとして、補助棚板付きの棚板を急激に引き出したとしても、当該補助棚板は取り出そうとしている反対側方向に行くにしたがって低くなっているとともにストッパが設けられているので、当該補助棚板上の履物が急な移動によって位置ずれして不揃いになったり当該補助棚板から飛び出してしまうことはない。
【０００９】
こうして、前側開放空間に引き出された補助棚板付きの棚板から履物を取り出す際、当該履物と補助棚板の一方端部とは十分に離れているので干渉しにくく取り出しに支障をきたすようなことはない。また、支持板も履物の取り出し進路にはないので邪魔することはない。一方、補助棚板上の履物を取り出す際には、当該履物の甲当接内面部分を手の指をあてがって掬うようにすれば、簡単に持ち上げて取り出すことができる。
【００１０】
また、履物を収容する場合には、補助棚板を設けた棚板を引き出して当該補助棚板（又は棚板）に載置し、その状態で本体内に戻す操作を行う。したがって、隣接する棚板に邪魔されることなく履物を収容できるとともに、補助棚板を設けた棚板が本体内に収容されるので占有体積を小さくできる（すなわち、小型化できる）。
【考案の効果】
【００１１】
請求項１の考案によれば、棚板に一緒に前側開放空間へ引き出し可能かつ戻し可能な補助棚板を設けたことで、履物を円滑かつ素早く収容したり取り出すことができ、かつ、履物を多数収容しつつ小型化を図ることができる。
【考案を実施するための最良の形態】
【００１２】
本考案に係る下駄箱１は、図１に示すように、前側開放空間に開口された箱型の本体２を有している。本体２は、地板３と天板４と両側の側面板５と背板６とで前面が開口された角箱状に形成されている。そして、地板２と天板３との間には、複数個の棚板１１が所定距離離して設けられ、各棚板１１上に履物（５０）を載置する構成とされている。そして、少なくとも１つの棚板１１（本実施形態では全部の棚板１１）は、前後方向に移動自在に設けられ本体２の内部空間Ｓ１から前側開放空間Ｓ２へ引き出し可能かつ前側開放空間Ｓ２から内部空間Ｓ１へ戻し可能に設けられている。この実施形態では、上記棚板１１が一段と円滑に移動自在となるようにスライド手段３０が設けられている。
【００１３】
スライド手段３０は、本体２の両側面板５に固定され前後方向（矢印Ｅ方向）に伸びるガイド部材３１と、棚板１１の両側端に固定され前記ガイド部材３１と摺動自在に係合するレール部材３２とからなり、棚板１１が前後方向に移動する際の摩擦力を減少する構成とされている。なお、この実施形態では、レール部材３２は２段に伸縮する構成とされている。前後方向に移動自在に設けられた棚板１１の横方向両端部には支持板２３が配設されており、当該両支持板２３を介して補助の棚板２１が設けられている。
【００１４】
補助棚板２１は、下側の棚板１１上に載置された履物（５０）よりも上方になるように当該棚板１１に固設され、前側の一方端部２５から奥側の他方端部２６へ行くにしたがって低くなるように形成されている。そして、補助棚板２１の他方端部２６には、履物（５０）を係止可能なストッパ２９が設けられている。ここで、履物（５０）は、その先端部が低く後方へいくに従って高さが大きくなるのが一般的である。そのため、図２に示すように、履物（５０）を先端部が前方開放空間Ｓ２を向くように補助棚板２１上に載置すると、下方の棚板１１から補助棚板２１上の履物（５０）までの高さＨ１を低く抑えることができる。このことより、補助棚板２１付きの棚板１１と隣接する棚板１１の間隔を小さく抑えることができ、その結果、本体２への履物（５０）の収容量を増やしつつ当該本体２の全高を低く抑えることができる。  
【００１５】
上記構成の本下駄箱１の場合、本体２内に収容されている履物（５０）を取り出す際には、図２および図３に示すように、手Ｈの指Ｆを履物（５０）の踵当接内面部分５２に当てて補助棚板２１付きの棚板１１を前側開放空間Ｓ２に引き出す。この際、履物（５０）を素早く取り出そうとして、棚板１１（従って補助棚板２１）が急激に引き出されたとしても、補助棚板２１は取り出そうとしている反対側方向に行くにしたがって低くなるような勾配を有しており、かつ、ストッパ２９が履物（５０）を係止するので、当該補助棚板２１上の履物（５０）が急な移動によって位置ずれしたり当該棚板２１から飛び出したりすることはない。また、履物（５０）に手Ｈの指Ｆを掛けて引っ張り出しても補助棚板２１付きの棚板１１が円滑に前方向に移動するので、当該履物（５０）だけが引き出されて当該棚板１１が元の位置に残ってしまうようなことはない。
【００１６】
こうして、前側開放空間Ｓ２に引き出された棚板１１から履物（５０）を取り出す際、当該履物（５０）と補助棚板２１の一方端部２５とは十分に離れているので干渉しにくく取り出しに支障をきたすようなことはない。また、支持板２２も履物（５０）の取り出し進路には配設されていないので邪魔になるようなことはない。一方、補助棚板２１上の履物（５０）を取り出す際には、当該履物（５０）の甲当接内面部分（５１）を手Ｈの指Ｆをあてがって掬うようにすれば、簡単に持ち上げて取り出すことができる。なお、履物（５０）の甲当接内面部分（５１）とは、人の足の甲が当たる履物（５０）部分を意味する。
【００１７】
また、履物（５０）を収容する場合には、補助棚板２１を設けた棚板１１を引き出して当該補助棚板２１（又は棚板１１）に載置し、その状態で本体２内に戻す操作を行う。したがって、隣接する棚板に邪魔されることなく履物（５０）を収容できるとともに、補助棚板２１を設けた棚板１１が本体２内に収容されるので占有体積を小さくできる（すなわち、小型化できる）。
【００１８】
したがって、本実施形態に係る下駄箱１は、履物（５０）を円滑かつ素早く収容したり取り出すことができ、かつ、履物（５０）を多数収容しつつ小型化を図ることができる。なお、本実施形態では、全部の棚板１１を前後方向に移動自在とするとともに補助棚板２１付きとしたが、棚板１１の一部でもよいことは勿論である。
【図面の簡単な説明】
【００１９】
【図１】本考案に係る下駄箱の全体構成を示す図である。
【図２】補助棚板付き棚板を引き出して履物を取り出す動作を説明するための図（１）である。
【図３】補助棚板付き棚板を引き出して履物を取り出す動作を説明するための図（２）である。
【図４】従来の下駄箱を説明するための図である。
【符号の説明】
【００２０】
１ 下駄箱
２  本体
１１ 棚
２１ 補助棚板
２５ 一方端部
５０  履物
【図１】
0003159722.tif 000003
【図２】
0003159722.tif 000004
【図３】
0003159722.tif 000005
【図４】
0003159722.tif 000006